(57)【要約】【課題】端末装置の消費電力を削減するとともに、他の端末装置に対する干渉を抑える。【解決手段】基地局装置１００は、取得部１０１と、制御部１０２と、を有する。取得部１０１は、自装置のキャリアを含む複数のキャリアを同時に用いる無線通信を行う端末装置１１０の複数のキャリアにおける各送信電力を示す情報を取得する。制御部１０２は、取得部１０１によって取得された情報に基づいて、無線通信における第１セルと第１セルより通信量が少ない第２セルとを複数のキャリアの中から選択する。制御部１０２は、選択した第１セルおよび第２セルを端末装置１１０に設定させる制御を行う。【選択図】図１
2016005261.tif 000002
【特許請求の範囲】
【請求項１】
自装置のキャリアを含む複数のキャリアを同時に用いる無線通信を行う端末装置の前記複数のキャリアにおける各送信電力を示す情報を取得する取得部と、
前記取得部によって取得された前記情報に基づいて、前記無線通信における第１セルと前記第１セルより通信量が少ない第２セルとを前記複数のキャリアの中から選択し、選択した前記第１セルおよび前記第２セルを前記端末装置に設定させる制御を行う制御部と、
を有することを特徴とする基地局装置。
【請求項２】
前記情報は、前記複数のキャリアにおける前記端末装置への無線送信時の各電力ロスを示す情報であり、
前記制御部は、前記複数のキャリアのうちの前記情報が示す電力ロスが最も小さいキャリアを前記第１セルに選択することを特徴とする請求項１に記載の基地局装置。
【請求項３】
前記制御部は、選択した前記第２セルにおける前記端末装置の送信電力が所定電力以上の場合に、前記第２セルにおける前記端末装置の通信を休止させることを特徴とする請求項１または２に記載の基地局装置。
【請求項４】
前記制御部は、前記端末装置の前記第１セルに設定されていた所定キャリアを前記端末装置の前記第２セルに設定した場合、前記所定キャリアが前記第１セルに設定されていたときよりも前記所定キャリアによる前記端末装置の通信に割り当てる無線リソース数を減らすことを特徴とする請求項１〜３のいずれか一つに記載の基地局装置。
【発明の詳細な説明】
【技術分野】
【０００１】
本発明は、基地局装置に関する。
【背景技術】
【０００２】
従来、キャリアアグリゲーションによる通信において、移動局で測定したダウンリンクの通信品質を用いてプライマリセルとセカンダリセルとを切替える無線基地局がある（例えば、下記特許文献１参照。）。また、キャリアアグリゲーションによる基地局と移動局との通信中に、プライマリセルでの接続が切断された場合にセカンダリセルに再接続して、セカンダリセルをプライマリセルとする通信方法がある（例えば、下記特許文献２参照。）。
【０００３】
また、元のプライマリセルと新しいプライマリセルが異なる周波数に属する場合に周波数の測定対象を新しいプライマリセルの所在する周波数の測定対象に変更する方法がある（例えば、下記特許文献３参照。）。
【先行技術文献】
【特許文献】
【０００４】
【特許文献１】国際公開第２０１１／０９９６３４号
【特許文献２】特開２０１３−０５１５４９号公報
【特許文献３】特表２０１３−５２９４４４号公報
【発明の概要】
【発明が解決しようとする課題】
【０００５】
しかしながら、従来技術では、例えばプライマリセルの通信エリア内においてプライマリセルのアンテナから端末装置が遠くなると、端末装置の送信電力を増加させる制御が行われる。このため、端末装置の消費電力が増加するとともに、他の端末装置に対する干渉が大きくなるという問題があった。
【０００６】
１つの側面では、本発明は、端末装置の消費電力を削減するとともに、他の端末装置に対する干渉を抑えることを目的とする。
【課題を解決するための手段】
【０００７】
本発明の一側面によれば、自装置のキャリアを含む複数のキャリアを同時に用いる無線通信を行う端末装置の前記複数のキャリアにおける各送信電力を示す情報を取得する取得部と、前記取得部によって取得された前記情報に基づいて、前記無線通信における第１セルと前記第１セルより通信量が少ない第２セルとを前記複数のキャリアの中から選択し、選択した前記第１セルおよび前記第２セルを前記端末装置に設定させる制御を行う制御部と、を有する基地局装置が提案される。
【発明の効果】
【０００８】
本発明の一態様によれば、端末装置の消費電力を削減するとともに、他の端末装置に対する干渉を抑えることができる。
【図面の簡単な説明】
【０００９】
【図１】図１は、実施の形態１にかかる基地局装置の機能的構成の一例を示すブロック図である。
【図２】図２は、通信システムの機能的構成の一例を示す説明図である。
【図３】図３は、キャリアアグリゲーションにおける周波数帯利用構成の一例を示す説明図である。
【図４】図４は、第１移動端末とＲＥ１とが離れている場合のＵｐＬｉｎｋおよびＤｏｗｎＬｉｎｋの通信品質の一例を示す説明図である。
【図５】図５は、第１移動端末とＲＥ１とが離れている場合のＵｐＬｉｎｋの送信電力の一例を示す説明図である。
【図６】図６は、第１移動端末のＵｐＬｉｎｋの送信電力を抑える場合の一例を示す説明図である。
【図７】図７は、実施の形態１にかかるｅＮＢの機能的構成の一例を示す説明図である。
【図８】図８は、コンピュータ装置のハードウェア構成の一例を示す図である。
【図９】図９は、通信システムが行う各装置間の接続手順の一例を示すシーケンス図である。
【図１０】図１０は、実施の形態１にかかるｅＮＢが行うＣｅｌｌ切替え処理の一例を示すフローチャートである。
【図１１】図１１は、ＵＥ送信電力の一例を示す説明図である。
【図１２】図１２は、実施の形態２にかかるｅＮＢが行うＣｅｌｌ切替え処理の一例を示すフローチャートである。
【図１３】図１３は、実施の形態３にかかるｅＮＢが行うＣｅｌｌ切替え処理の一例を示すフローチャートである。
【図１４】図１４は、実施の形態４にかかるｅＮＢの機能的構成の一例を示す説明図である。
【図１５】図１５は、実施の形態４にかかるｅＮＢが行うＣｅｌｌ切替え処理の一例を示すフローチャートである。
【図１６】図１６は、ＤＬ電力ロスの一例を示す説明図である。
【図１７】図１７は、実施の形態５にかかるｅＮＢが行うＣｅｌｌ切替え処理の一例を示すフローチャートである。
【図１８】図１８は、実施の形態６にかかるｅＮＢが行うＣｅｌｌ切替え処理の一例を示すフローチャートである。
【発明を実施するための形態】
【００１０】
以下に図面を参照して、開示技術の好適な実施の形態１〜６を詳細に説明する。
【００１１】
（実施の形態１）
（基地局装置の機能的構成）
図１は、実施の形態１にかかる基地局装置の機能的構成の一例を示すブロック図である。基地局装置１００は、取得部１０１と、制御部１０２と、を有する。基地局装置１００は、異なる位置に設けられたアンテナを有し、端末装置１１０と無線通信を行う。端末装置１１０は、基地局装置１００のキャリアを含む複数のキャリアを同時に用いる無線通信を行う。
【００１２】
取得部１０１は、端末装置１１０の複数のキャリアにおける各送信電力を示す情報を取得する。複数のキャリアは、それぞれ複数のアンテナにより形成されるキャリアである。例えば、キャリアはアンテナ毎に異なる。取得部１０１は、複数のアンテナから各送信電力を示す情報を取得する。送信電力を示す情報は、例えば、ＵｐＬｉｎｋの送信電力を示す値が挙げられる。
【００１３】
制御部１０２は、取得部１０１によって取得された各送信電力を示す情報に基づいて、無線通信における第１セルと、第１セルより通信量が少ない第２セルと、を複数のキャリアの中から選択する。具体的には、制御部１０２は、複数のキャリア（アンテナ）の中から第１セルと第２セルとを選択する。さらに、制御部１０２は、選択した第１セルおよび第２セルを端末装置１１０に設定させる制御を行う。
【００１４】
一例として、ＬＴＥ（Ｌｏｎｇ  Ｔｅｒｍ  Ｅｖｏｌｕｔｉｏｎ）システムの場合は、第１セルを、プライマリセル（またはファーストセル、第１の帯域、主帯域、主セル（メインセル、マスタセル）など）とすることができる。第２のセルを、例えばセカンダリセル（または第２の帯域、副帯域、副セル（サブセル）、従属セル、拡張帯域、拡張セルなど）とすることができる。
【００１５】
例えば、制御部１０２は、複数のキャリアのうちの送信電力が最も小さいキャリアを第１セルに選択する。複数のキャリアは、いずれも第１セルとして通信可能なレベルの送信電力を有する。送信電力が小さいとは、例えば、端末装置１１０とアンテナとの距離が近いということである。制御部１０２は、例えば、複数のアンテナのうち端末装置１１０に最も近いアンテナを第１セルに選択する。制御部１０２は、複数のキャリアのうちの送信電力が小さいキャリアを優先して第１セルに選択してもよい。このように、送信電力の小さいキャリアを第１セルに選択することにより、通信量が多い第１セルの送信電力を低くすることができる。
【００１６】
また、送信電力を示す情報として、複数のキャリアにおける端末装置１１０への無線送信時の各電力ロスを示す情報を用いることができる。複数のキャリアにおける端末装置１１０への無線送信時の各電力ロスを示す情報とは、例えば、複数のアンテナの送信電力と端末装置１１０の受信電力との差分を示すＤｏｗｎＬｉｎｋ（ＤＬ）の各電力ロスの情報である。ＤｏｗｎＬｉｎｋの電力ロスから、アンテナとの距離を推定できるため、端末装置１１０の送信電力を推定できる。つまり、ＤｏｗｎＬｉｎｋの電力ロスが大きいと、端末装置１１０の送信電力も大きいと推定できる。
【００１７】
制御部１０２は、複数のキャリアのうちの電力ロスが最も小さいキャリアを第１セルに選択する。電力ロスが最も小さいとは、例えば、端末装置１１０とアンテナとの距離が近いということである。このため、制御部１０２は、電力ロスに基づいて、例えば、複数のアンテナのうち端末装置１１０に最も近いアンテナを第１セルに選択する。これにより、通信量が多い第１セルの送信電力を低くすることができる。
【００１８】
また、制御部１０２は、選択した第２セルにおける端末装置１１０の送信電力が所定電力以上の場合に、第２セルにおける端末装置１１０の通信を休止させる。所定電力とは、例えば、他の端末装置１１０に対する干渉が大きくなる電力である。休止とは、通信を接続した状態ではあるものの通信を行わない状態である。これにより、送信電力が閾値以上の第２セルにおける端末装置１１０の通信を行わないようにすることができる。
【００１９】
また、制御部１０２は、端末装置１１０の第１セルに設定されていた所定キャリアを端末装置１１０の第２セルに設定した場合、所定キャリアが第１セルに設定されていたときよりも所定キャリアによる端末装置１１０の通信に割り当てる無線リソース数を減らす。例えば、制御部１０２は、選択した第２セルにおける端末装置１１０の送信電力が所定電力未満であり、第２セルにおける端末装置１１０の通信を休止させない場合に、無線リソース数を減らしてもよい。割り当てる無線リソース数を減らすことにより、第２セルにおける端末装置１１０からの送信データの上限を下げることができるため、データ量が多いときでも、送信時におけるデータ量の増大を抑え、例えば、データを一気に送信させないようにすることができる。
【００２０】
なお、実施の形態１では、一の基地局装置１００が複数のキャリアを用いて各セルを設定させる場合について説明するが、これに限らない。例えば、基地局装置１００と、基地局装置１００とは異なるキャリアを有する他の基地局と、の複数の基地局において複数のキャリアを用いて各セルを設定することも可能である。
【００２１】
（通信システムの機能的構成の一例）
図２は、通信システムの機能的構成の一例を示す説明図である。通信システム２００は、ｅＮＢ（ｅｖｏｌｖｅｄ  Ｎｏｄｅ  Ｂ）２１０と、移動端末２３０と、上位ネットワーク２４０と、を有する。ｅＮＢ２１０は、ＬＴＥの基地局である。ＬＴＥは、標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）の通信規格である。
【００２２】
ｅＮＢ２１０は、ＲＥＣ（Ｒａｄｉｏ  Ｅｑｕｉｐｍｅｎｔ  Ｃｏｎｔｒｏｌ）と、ＲＥ（Ｒａｄｉｏ  Ｅｑｕｉｐｍｅｎｔ）１と、ＲＥ２と、を有する。ＲＥＣは、ｅＮＢ２１０における通信全体の制御を司る。ＲＥ１およびＲＥ２は、相互に異なる位置に設けられ、それぞれアンテナを有する。また、ＲＥ１およびＲＥ２は、キャリアを形成する。ｅＮＢ２１０は、例えば、ＲＥ１およびＲＥ２と有線接続される。
【００２３】
ｅＮＢ２１０は、上位ネットワーク２４０に無線接続されるとともに、ＲＥ１またはＲＥ２を介して移動端末２３０と無線接続される。ＲＥ１は、通信エリア２１１内の移動端末２３０と通信を行う。ＲＥ２は、通信エリア２２１内の移動端末２３０と通信を行う。通信エリア２１１，２２１は、相互に重なるエリアを有する。図２においては、通信エリア２１１，２２１の相互に重なるエリアに、移動端末２３０が位置している。このため、移動端末２３０は、ＲＥ１およびＲＥ２の両者と通信する。
【００２４】
移動端末２３０は、携帯電話やスマートフォンなどのユーザ機器である。図２において移動端末２３０は、ＲＥ１の通信エリア２１１とＲＥ２の通信エリア２２１との重なる部分に存在しており、ＲＥ１およびＲＥ２と、キャリアアグリゲーションによる無線通信が可能である。図１の基地局装置１００は、例えばｅＮＢ２１０によって実現される。また、図１に示した端末装置１１０は、例えば移動端末２３０によって実現される。
【００２５】
（キャリアアグリゲーションにおける周波数帯利用構成の一例）
図３は、キャリアアグリゲーションにおける周波数帯利用構成の一例を示す説明図である。３ＧＰＰにおいて、ＬＴＥ−Ａ（ＬＴＥ−Ａｄｖａｎｃｅｄ）という無線通信システムがある。ＬＴＥ−Ａは、ＬＴＥよりも高速の通信を実現することが要求されているため、ＬＴＥよりも広帯域（ＬＴＥの２０ＭＨｚの帯域を超える１００ＭＨｚまでの帯域）をサポートすることが求められている。ところが、連続した広帯域の周波数領域をＬＴＥ−Ａ用として確保することは難しい。また、ＬＴＥ−Ａでは、ＬＴＥとの互換性を可能な限り維持することが求められる。そのため、キャリアアグリゲーション（ＣＡ：Ｃａｒｅｅｒ  Ａｇｇｒｅｇａｔｉｏｎ）の技術が検討されている。
【００２６】
キャリアアグリゲーション技術は、コンポーネントキャリア（ＣＣ：Ｃｏｍｐｏｎｅｎｔ  Ｃａｒｅｅｒ）と呼ばれる帯域幅が２０ＭＨｚまでの周波数帯域を複数（最大５ＣＣまで）まとめて通信を行うことにより最大１００ＭＨｚの帯域幅を確保できる。キャリアアグリゲーション技術を用いた通信で使用されるＣＣは、キャリアアグリゲーションによる通信の開始時や再設定時に、ｅＮＢ２１０から移動端末２３０毎に割り当てられる。
【００２７】
図３に示すように、移動端末２３０ａは、キャリアアグリゲーションに非対応であり、周波数帯３００ａのみを利用して通信する。また、移動端末２３０ｂも、キャリアアグリゲーションに非対応であり、周波数帯３００ｂのみを利用して通信する。また、移動端末２３０ｃは、キャリアアグリゲーションに対応しており、周波数帯３００ａ，３００ｂを利用して通信する。このように、キャリアアグリゲーションに対応の移動端末２３０ｃは、複数の周波数帯３００ａ，３００ｂを利用して通信することができる。以下に説明する移動端末２３０は、キャリアアグリゲーションに対応の移動端末２３０ｃとする。
【００２８】
ここで、移動端末２３０と無線リンクを確立しているｅＮＢ２１０をサービングセル（Ｓｅｒｖｉｎｇ  Ｃｅｌｌ）という。サービングセルでは、移動端末２３０がＰＣＣ（Ｐｒｉｍａｒｙ  ＣＣ）およびＰＣＣと搬送波周波数が異なる１または複数のＳＣＣ（Ｓｅｃｏｎｄａｒｙ  ＣＣ）を用いて、キャリアアグリゲーションによる通信を行うことができる。
【００２９】
ＬＴＥ−Ａ方式においては、キャリアアグリゲーションによる通信を行っている移動端末２３０に対して、ＰＣＣのサービングセルであるＰＣｅｌｌ（Ｐｒｉｍａｒｙ  Ｓｅｒｖｉｎｇ  Ｃｅｌｌ）を設定する。また、ＬＴＥ−Ａ方式においては、キャリアアグリゲーションによる通信を行っている移動端末２３０に対して、ＳＣＣのサービングセルであるＳＣｅｌｌ（Ｓｅｃｏｎｄａｒｙ  Ｓｅｒｖｉｎｇ  Ｃｅｌｌ）を設定する。キャリアアグリゲーションにおいては、ｅＮＢ２１０から移動端末２３０への下り回線（ＤＬ：ＤｏｗｎＬｉｎｋ）の品質が最もよいＣｅｌｌをＰＣｅｌｌとしている。このようなキャリアアグリゲーションの技術を用いることにより、高速な通信を実現することができる。
【００３０】
通信システム２００内において、移動端末２３０からｅＮＢ２１０への上り回線（ＵＬ：ＵｐＬｉｎｋ）およびＤｏｗｎＬｉｎｋでキャリアアグリゲーションを利用しており、大小サービングセル（ＰＣｅｌｌやＳＣｅｌｌ）が混在している場合がある。この場合、通信品質を保つために、移動端末２３０の消費電力が高くなる。移動端末２３０の消費電力が高くなることについて以下に説明する。
【００３１】
（第１移動端末とＲＥ１とが離れている場合のＵｐＬｉｎｋおよびＤｏｗｎＬｉｎｋの通信品質の一例）
図４は、第１移動端末とＲＥ１とが離れている場合のＵｐＬｉｎｋおよびＤｏｗｎＬｉｎｋの通信品質の一例を示す説明図である。図４に示すように、ＲＥ１はＰＣｅｌｌとして動作している。また、ＲＥ２はＳＣｅｌｌとして動作している。第１移動端末２３０ｄは、ＲＥ１の遠くに位置しており、ＲＥ２の近くに位置しているものとする。また、別の移動端末（第２移動端末２３０ｅ）は、ＰＣｅｌｌであるＲＥ１の近くにあるとする。
【００３２】
第１移動端末２３０ｄは、ＵｐＬｉｎｋおよびＤｏｗｎＬｉｎｋにおいてキャリアアグリゲーションを利用して、ＲＥ１およびＲＥ２と無線通信を行っている。第１移動端末２３０ｄは、ＵｐＬｉｎｋおよびＤｏｗｎＬｉｎｋにおいて、ＰＣｅｌｌであるＲＥ１と主に通信を行っている。また、第２移動端末２３０ｅは、ＲＥ１と無線通信を行っている。
【００３３】
（第１移動端末とＲＥ１とが離れている場合のＵｐＬｉｎｋの送信電力の一例）
図５は、第１移動端末とＲＥ１とが離れている場合のＵｐＬｉｎｋの送信電力の一例を示す説明図である。ここで、第１移動端末２３０ｄはＲＥ１と離れているものとする。この場合、第１移動端末２３０ｄへのＤｏｗｎＬｉｎｋについては、ｅＮＢ２１０がＲＥ１の送信電力を増幅させることによって、品質のよい通信を行うことができる。また、第１移動端末２３０ｄからのＵｐＬｉｎｋについては、第１移動端末２３０ｄの送信電力を増幅させることによって、品質のよい通信を行うことができる。
【００３４】
第１移動端末２３０ｄの送信電力を増幅させると、ＰＣｅｌｌ（ＲＥ１）の近隣に存在する第２移動端末２３０ｅに対する干渉が大きくなる。具体的には、第２移動端末２３０ｅのＵｐＬｉｎｋ時における干渉が大きくなる。また、第１移動端末２３０ｄの送信電力には上限があるため、第１移動端末２３０ｄとＲＥ１とが大きく離れていると、ＵｐＬｉｎｋの通信品質が低下し、ＤｏｗｎＬｉｎｋと同品質の通信を行うことができないこともある。
【００３５】
（第１移動端末のＵｐＬｉｎｋの送信電力を抑える場合の一例）
図６は、第１移動端末のＵｐＬｉｎｋの送信電力を抑える場合の一例を示す説明図である。図６に示すように、第１移動端末２３０ｄは、ＲＥ１の遠くに位置しており、ＲＥ２の近くに位置している場合には、近くのＲＥ２をＰＣｅｌｌにし、遠くのＲＥ１をＳＣｅｌｌにして通信を行う。具体的には、ｅＮＢ２１０が、ハンドオーバにより、第１移動端末２３０ｄとの通信におけるＰＣｅｌｌをＲＥ１からＲＥ２に切替え、ＳＣｅｌｌをＲＥ２からＲＥ１に切替える。このように、第１移動端末２３０ｄの近くに位置するＲＥ２を通信量の多いＰＣｅｌｌにすることにより、ＰＣｅｌｌの送信電力を低くすることができる。
【００３６】
（ｅＮＢの機能的構成の一例）
図７は、実施の形態１にかかるｅＮＢの機能的構成の一例を示す説明図である。図７において、ｅＮＢ２１０は、アンテナＡ１〜Ａ５と、ＲＦ（Ｒａｄｉｏ  Ｆｒｅｑｕｅｎｃｙ）送受信部７０１と、受信部７０２と、スケジューリング部７０３と、送信部７０４と、ネットワーク終端部７０５と、ハンドオーバ制御部７０６（図中、ＨＯ（Ｈａｎｄ  Ｏｖｅｒ）制御部）と、Ａｃｔｉｖａｔｉｏｎ制御部７０７と、ＵＥ（Ｕｓｅｒ  Ｅｑｕｉｐｍｅｎｔ）電力測定部７０８と、Ｃｅｌｌ判定部７０９と、Ｃｅｌｌ指示部７１０と、を有する。これら各構成部は、一方向または双方向に、信号やデータの入出力が可能に接続されている。
【００３７】
アンテナＡ１〜Ａ５は、外部の装置との間で信号を送受信する。通信システム２００においては、キャリアアグリゲーションを適用でき、ＣＣが２ＣＣから５ＣＣである。そのため、アンテナＡ１〜Ａ５は、例えば、環境に応じて、５つのアンテナＡ１〜Ａ５のうちの２以上且つ５以内のアンテナＡ１〜Ａ５からＵｐＬｉｎｋの信号を受信する。アンテナＡ１〜Ａ５は、移動端末２３０から受信したＵｐＬｉｎｋの信号をＲＦ送受信部７０１へ出力する。また、アンテナＡ１〜Ａ５は、ＲＦ送受信部７０１から出力されたＤｏｗｎＬｉｎｋの信号を移動端末２３０へ送信する。アンテナＡ１〜Ａ５は、例えば、ＲＥ１，ＲＥ２によって実現される。
【００３８】
ＲＦ送受信部７０１は、２以上且つ５以内のアンテナＡ１〜Ａ５から出力されたＵｐＬｉｎｋ方向の信号に対して、搬送波除去およびＡＤ（Ａｎａｌｏｇ  ｔｏ  Ｄｉｇｉｔａｌ）変換を行う。また、ＲＦ送受信部７０１は、受信ベースバンド信号を生成し、生成した信号を受信部７０２へ出力する。
【００３９】
受信部７０２は、ＲＦ送受信部７０１から出力された受信ベースバンド信号に対し、スケジューリング情報に基づく復調および復号を行い、受信データを生成し、生成した受信データを、スケジューリング部７０３と、ネットワーク終端部７０５に出力する。
【００４０】
スケジューリング部７０３は、受信部７０２および送信部７０４から出力されたチャネル品質等の情報に基づいて、無線リソースの割り当てを行った後、スケジューリング情報を通知する。スケジューリング情報の通知先は、例えば、受信部７０２、送信部７０４、ハンドオーバ制御部７０６およびＡｃｔｉｖａｔｉｏｎ制御部７０７、である。また、スケジューリング部７０３は、スケジュール情報と各ＣｅｌｌにおけるＵｐＬｉｎｋの送信電力情報とをＵＥ電力測定部７０８へ出力する。
【００４１】
送信部７０４は、スケジューリング部７０３から出力されたスケジューリング情報に基づき、ＤｏｗｎＬｉｎｋ方向のデータを符号化および変調し、送信ベースバンド信号を生成する。また、送信部７０４は、生成した送信ベースバンド信号をＲＦ送受信部７０１へ出力する。また、ＲＦ送受信部７０１は、送信部７０４から出力された送信ベースバンド信号をＤＡ（Ｄｉｇｉｔａｌ  ｔｏ  Ａｎａｌｏｇ）変換および搬送波変調して送信信号を生成する。ＲＦ送受信部７０１は、生成した信号を、２以上且つ５以内のアンテナＡ１〜Ａ５のアンテナを介して移動端末２３０に送信する。
【００４２】
ネットワーク終端部７０５は、ｅＮＢ２１０とコアネットワーク等の上位ネットワークとの接続を行う。また、ネットワーク終端部７０５は、ハンドオーバ制御部７０６および上位ネットワークから出力されたＤｏｗｎＬｉｎｋ方向のデータを送信部７０４に出力する。また、ネットワーク終端部７０５は、ハンドオーバ制御部７０６および受信部７０２から出力されたＵｐＬｉｎｋ方向のデータを上位ネットワークへ出力する。
【００４３】
ハンドオーバ制御部７０６は、スケジューリング部７０３から出力されたスケジューリング情報に基づき、ハンドオーバ処理によりＣｅｌｌの切替えの制御を行う。また、ハンドオーバ制御部７０６は、スケジューリング部７０３にＣｅｌｌの切替えの情報を出力する。
【００４４】
Ａｃｔｉｖａｔｉｏｎ制御部７０７は、スケジューリング部７０３から出力されたスケジューリング情報に基づき、ＣｅｌｌのＡｃｔｉｖａｔｉｏｎの切替えの制御を行う。例えば、Ａｃｔｉｖａｔｉｏｎ制御部７０７は、スケジューリング情報に基づき、通信を行う状態または通信を行わない状態の切替えの制御を行う。また、Ａｃｔｉｖａｔｉｏｎ制御部７０７は、Ａｃｔｉｖａｔｉｏｎの切替えの情報をスケジューリング部７０３に出力する。
【００４５】
ＵＥ電力測定部７０８は、スケジューリング部７０３からスケジュール情報と各Ｃｅｌｌにおける送信電力情報を受信する。送信電力情報は、定期的に移動端末２３０から送信され、現在のＵｐＬｉｎｋの送信電力を示す情報である。ＵＥ電力測定部７０８は、受信した送信電力情報と、送信電力制御情報と、を用いて、各Ｃｅｌｌの移動端末２３０の送信電力（ＵＥ送信電力）を計算する。送信電力制御情報は、例えば、ＵｐＬｉｎｋの信号に対するＵｐＬｉｎｋの送信電力の増減を指示するための情報である。
【００４６】
ｅＮＢ２１０は、例えば、送信電力が基準値より小さい場合に送信電力を増加する旨の送信電力制御情報を移動端末２３０へ出力し、送信電力が基準値より大きい場合に送信電力を低減する旨の送信電力制御情報を移動端末２３０へ出力する。例えば、現在の送信電力情報が値Ａであり、送信電力制御情報が値Ｂであるとすると、ＵＥ電力測定部７０８は、値Ａおよび値Ｂを考慮してＵＥ送信電力を計算する。
【００４７】
また、ＵＥ電力測定部７０８は、各ＣｅｌｌのＳＩＲ（信号対混信比：Ｓｉｇｎａｌ  ｔｏ  Ｉｎｔｅｒｆｅｒｅｎｃｅ  Ｒａｔｉｏ）が収束しているタイミングであるか否かを判断する。ＳＩＲが収束しているタイミングは、例えばノイズ等のない安定した状態を示すタイミングである。そして、ＳＩＲが収束しているタイミングである場合、ＵＥ電力測定部７０８は、各ＣｅｌｌのＵＥ送信電力の計算結果をＣｅｌｌ判定部７０９へ出力する。
【００４８】
Ｃｅｌｌ判定部７０９は、ＵＥ電力測定部７０８から出力された各ＣｅｌｌのＵＥ送信電力の計算結果に基づき、全ＣｅｌｌのＵＥ送信電力を比較し、最小ＵＥ送信電力となるＣｅｌｌを判定する。最小ＵＥ送信電力は、最も小さいＵＥ送信電力であるが、ＰＣｅｌｌとして移動端末２３０との通信が可能な電力を有する。その際、最小ＵＥ送信電力となるＣｅｌｌが現在のＰＣｅｌｌであるか否かを判定する。そして、Ｃｅｌｌ判定の結果をＣｅｌｌ指示部７１０へ出力する。
【００４９】
Ｃｅｌｌ指示部７１０は、Ｃｅｌｌ判定部７０９から出力されたＣｅｌｌ判定結果に基づき、最小ＵＥ送信電力となるＣｅｌｌをＰＣｅｌｌに切替える指示をハンドオーバ制御部７０６に出力する。
【００５０】
ハンドオーバ制御部７０６は、ハンドオーバ処理により最小ＵＥ送信電力となるＣｅｌｌにＰＣｅｌｌを切替える。Ａｃｔｉｖａｔｉｏｎ制御部７０７は、ｅＮＢ２１０のＡｃｔｉｖａｔｉｏｎをＡｃｔｉｖｅ（通信可能な状態）またはＤｅＡｃｔｉｖｅ（休止状態）のいずれかに切替える。
【００５１】
（マクロ基地局、フェムト基地局および移動端末等のコンピュータ装置のハードウェア構成の一例）
図８は、コンピュータ装置のハードウェア構成の一例を示す図である。図８に示すように、ｅＮＢ２１０および移動端末２３０等のコンピュータ装置８００は、ＣＰＵ（Ｃｅｎｔｒａｌ  Ｐｒｏｃｅｓｓｉｎｇ  Ｕｎｉｔ）８０１と、メモリ８０２と、ユーザインタフェース８０３と、通信インタフェース８０４と、を備えている。ＣＰＵ８０１、メモリ８０２、ユーザインタフェース８０３および通信インタフェース８０４は、バス８０９によって接続されている。
【００５２】
ＣＰＵ８０１は、コンピュータ装置８００の全体の制御を司る。メモリ８０２には、例えばメインメモリおよび補助メモリが含まれる。メインメモリは、例えばＲＡＭ（Ｒａｎｄｏｍ  Ａｃｃｅｓｓ  Ｍｅｍｏｒｙ）である。メインメモリは、ＣＰＵ８０１のワークエリアとして使用される。補助メモリは、例えば磁気ディスク、光ディスク、フラッシュメモリなどの不揮発メモリである。補助メモリには、コンピュータ装置８００を動作させる各種のプログラムが記憶されている。補助メモリに記憶されたプログラムは、メインメモリにロードされてＣＰＵ８０１によって実行される。
【００５３】
ユーザインタフェース８０３は、例えば、ユーザからの操作入力を受け付ける入力デバイスや、ユーザへ情報を出力する出力デバイスなどを含む。入力デバイスは、例えば、タッチパネルやキー（例えばキーボード）やリモコンなどによって実現することができる。出力デバイスは、例えば、タッチパネルやディスプレイやスピーカなどによって実現することができる。ユーザインタフェース８０３は、ＣＰＵ８０１によって制御される。
【００５４】
通信インタフェース８０４は、例えば、無線や有線によってコンピュータ装置８００の外部装置との間で通信を行う通信インタフェースである。通信インタフェース８０４は、ＣＰＵ８０１によって制御される。
【００５５】
図１に示した、取得部１０１と、制御部１０２とは、メモリ８０２に記憶されたプログラムをＣＰＵ８０１に実行させることにより、その機能を実現する。また、図７に示した、ＲＦ送受信部７０１と、受信部７０２と、スケジューリング部７０３と、送信部７０４と、ネットワーク終端部７０５と、ハンドオーバ制御部７０６と、Ａｃｔｉｖａｔｉｏｎ制御部７０７と、ＵＥ電力測定部７０８と、Ｃｅｌｌ判定部７０９と、Ｃｅｌｌ指示部７１０とは、メモリ８０２に記憶されたプログラムをＣＰＵ８０１に実行させることにより、その機能を実現する。
【００５６】
（通信システムが行う各装置間の接続手順の一例）
図９は、通信システムが行う各装置間の接続手順の一例を示すシーケンス図である。図９において、移動端末２３０（図中「ＵＥ」と記載）は、ＲＥ１をＰＣｅｌｌとしてｅＮＢ２１０と接続された状態にある（ステップＳ９０１）。この状態は、ＰＣｅｌｌ（ＲＥ１）のみと接続した状態である（通信状態９１０）。そして、移動端末２３０がＲＥ２の通信エリア２２１内に位置すると、ＲＥ１はその旨をｅＮＢ２１０に通知する（ステップＳ９０２）。
【００５７】
次に、ｅＮＢ２１０は、ＲＥ２との接続のための情報をＲＥ２との間でやり取りする（ステップＳ９０３）。ｅＮＢ２１０は、ＲＥ１および移動端末２３０に対して、ＲＥ２をＳＣｅｌｌとして追加する処理を実施する（ステップＳ９０４）。これにより、ＰＣｅｌｌおよびＳＣｅｌｌを用いる状態となる（通信状態９２０）。そして、ｅＮＢ２１０がＲＥ１（ＰＣｅｌｌ）のＵＥ情報を受信する（ステップＳ９０５）。また、ｅＮＢ２１０がＲＥ２（ＳＣｅｌｌ）のＵＥ情報を受信する（ステップＳ９０６）。このような手順により、ＰＣｅｌｌのみが用いられる通信状態９１０から、ＰＣｅｌｌおよびＳＣｅｌｌが用いられる通信状態９２０へと移行する。
【００５８】
（実施の形態１にかかるｅＮＢが行うＣｅｌｌ切替え処理の一例）
図１０は、実施の形態１にかかるｅＮＢが行うＣｅｌｌ切替え処理の一例を示すフローチャートである。図１０に示すように、ｅＮＢ２１０は、移動端末２３０から各Ｃｅｌｌにおける送信電力情報を受信する（ステップＳ１００１）。そして、ｅＮＢ２１０（ＵＥ電力測定部７０８）は、受信した送信電力情報および移動端末２３０に対するＵｐＬｉｎｋ信号に対する電力の増減を指示するための送信電力制御情報を用いて、各ＣｅｌｌのＵＥ送信電力を計算する（ステップＳ１００２）。
【００５９】
そして、ｅＮＢ２１０は、各ＣｅｌｌのＳＩＲが収束しているタイミングであるか否かを判定する（ステップＳ１００３）。ＳＩＲが収束しているタイミングは、例えばノイズ等のない安定した状態を示すタイミングである。
【００６０】
各ＣｅｌｌのＳＩＲが収束しているタイミングではない場合（ステップＳ１００３：Ｎｏ）、ｅＮＢ２１０は、ステップＳ１００１に移行する。各ＣｅｌｌのＳＩＲが収束しているタイミングである場合（ステップＳ１００３：Ｙｅｓ）、ｅＮＢ２１０は、ＵＥ電力測定部７０８から、計算した各ＣｅｌｌのＵＥ送信電力をＣｅｌｌ判定部７０９へ出力する（ステップＳ１００４）。
【００６１】
そして、ｅＮＢ２１０（Ｃｅｌｌ判定部７０９）は、各ＣｅｌｌのＵＥ送信電力の計算結果に基づき、全ＣｅｌｌのＵＥ送信電力を比較し、最小ＵＥ送信電力となるＣｅｌｌを判定する（ステップＳ１００５）。そして、ｅＮＢ２１０（Ｃｅｌｌ判定部７０９）は、最小ＵＥ送信電力となるＣｅｌｌがＰＣｅｌｌであるか否かを判定する（ステップＳ１００６）。最小ＵＥ送信電力となるＣｅｌｌがＰＣｅｌｌである場合（ステップＳ１００６：Ｙｅｓ）、ｅＮＢ２１０は、一連の処理を終了する。
【００６２】
最小ＵＥ送信電力となるＣｅｌｌがＰＣｅｌｌではない場合（ステップＳ１００６：Ｎｏ）、ｅＮＢ２１０は（Ｃｅｌｌ判定部７０９）は、Ｃｅｌｌ判定の結果をＣｅｌｌ指示部７１０へ出力する（ステップＳ１００７）。ｅＮＢ２１０は、Ｃｅｌｌ指示部７１０がＣｅｌｌ判定結果に基づく切替え指示をハンドオーバ制御部７０６に行って、ハンドオーバ制御部７０６が最小ＵＥ送信電力となるＣｅｌｌをＰＣｅｌｌに切替え（ステップＳ１００８）、一連の処理を終了する。
【００６３】
ｅＮＢ２１０は、Ｃｅｌｌを切替えると、その旨を移動端末２３０に通知し、移動端末２３０側でもＰＣｅｌｌおよびＳＣｅｌｌが切替えられる。また、ＵｐＬｉｎｋの切替えにより、ＤｏｗｎＬｉｎｋについても同様にＰＣｅｌｌおよびＳＣｅｌｌが切替わることとなる。
【００６４】
（ＵＥ送信電力の一例）
図１１は、ＵＥ送信電力の一例を示す説明図である。図１１の説明図１１００に示すように、ＵＥ送信電力は、あるタイミングにおいて移動端末２３０からＲＥ１またはＲＥ２へ送信された電力の算出結果を示している。ＲＥ１へのＵＥ送信電力は、例えば、７ｄＢである。また、ＲＥ２へのＵＥ送信電力は３ｄＢである。従来では、ＲＥ１が常時ＰＣｅｌｌとなっており、すなわち、ＵＥ送信電力は７ｄＢのままであった。
【００６５】
一方、実施の形態１では、各ＣｅｌｌのＵＥ送信電力の計算結果からＰＣｅｌｌおよびＳＣｅｌｌを選択することにより、ＵＥ送信電力が高いＰＣｅｌｌを、ＲＥ１からＲＥ２に切替えることができる。具体的には、ＵＥ送信電力が高いＲＥ１をＳＣｅｌｌに、ＵＥ送信電力が低いＲＥ２をＰＣｅｌｌに切替えることができる。
【００６６】
なお、ＳＣｅｌｌとＰＣｅｌｌは、移動端末２３０とＲＥ１，ＲＥ２との距離が変化することによるＵＥ送信電力の変化に応じて、適宜切替わることになる。具体的には、ＲＥ１が再びＰＣｅｌｌとなり、ＲＥ２が再びＳＣｅｌｌとなる。
【００６７】
実施の形態１では、ＣＡ通信において、各キャリアにおけるＵＥの送信電力を比較し、送信電力が低いキャリアをＰＣｅｌｌに選択した。具体的には、ＲＥ１，ＲＥ２のうち、ＵＥ送信電力が小さい方をＰＣｅｌｌにした。このため、通信量が多いＰＣｅｌｌの送信電力を低くし、移動端末２３０の消費電力を削減しつつ他の移動端末２３０への干渉を抑えることができる。
【００６８】
（実施の形態２）
次に、実施の形態２について説明する。実施の形態２では、ＵＥ送信電力に基づいてＣｅｌｌを切替えるという実施の形態１の内容に加え、さらに、Ｃｅｌｌの切替え後にＳＣｅｌｌのＡｃｔｉｖａｔｉｏｎをＤｅＡｃｔｉｖｅに切替える場合について説明する。実施の形態２においては、実施の形態１と異なる部分について説明を行う。
【００６９】
（実施の形態２にかかるｅＮＢの機能的構成）
図７を用いて、実施の形態２にかかるｅＮＢの機能的構成について説明する。Ｃｅｌｌ指示部７１０は、Ｃｅｌｌ判定部７０９からのＣｅｌｌ判定結果に基づき、最小ＵＥ送信電力となるＣｅｌｌをＰＣｅｌｌにハンドオーバにより切替える指示をハンドオーバ制御部７０６に報告する。ハンドオーバ制御部７０６は、ハンドオーバにより最小ＵＥ送信電力となるＣｅｌｌをＰＣｅｌｌに切替えると、ＳＣｅｌｌおよびＰＣｅｌｌの情報をＣｅｌｌ指示部７１０へ報告する。
【００７０】
Ｃｅｌｌ指示部７１０は、ハンドオーバ制御部７０６から報告されたＳＣｅｌｌの情報に基づいて、ＵＥ送信電力がある閾値以上となるＳＣｅｌｌのＡｃｔｉｖａｔｉｏｎの切替え指示をＡｃｔｉｖａｔｉｏｎ制御部７０７に報告する。閾値とは、例えば、他の移動端末２３０に対する干渉が大きくなる電力である。Ａｃｔｉｖａｔｉｏｎ制御部７０７は、Ｃｅｌｌ指示部７１０からＡｃｔｉｖａｔｉｏｎの切替え指示を受け付けると、ＡｃｔｉｖａｔｉｏｎをＡｃｔｉｖｅからＤｅＡｃｔｉｖｅに切替える。
【００７１】
Ａｃｔｉｖｅとは、通信可能な状態である。ＤｅＡｃｔｉｖｅとは、休止状態であり、接続はしているものの通信を行わない状態である。Ａｃｔｉｖａｔｉｏｎ制御部７０７は、ＵｐＬｉｎｋとＤｏｗｎＬｉｎｋとで、それぞれＡｃｔｉｖｅとＤｅＡｃｔｉｖｅと制御できる。そのため、Ａｃｔｉｖａｔｉｏｎ制御部７０７は、Ｃｅｌｌ指示部７１０からＡｃｔｉｖａｔｉｏｎの切替え指示を受け付けると、ＡｃｔｉｖａｔｉｏｎをＡｃｔｉｖｅからＤｅＡｃｔｉｖｅに切替える。
【００７２】
例えば、Ａｃｔｉｖａｔｉｏｎ制御部７０７は、ＵｐＬｉｎｋについてのみＡｃｔｉｖａｔｉｏｎをＡｃｔｉｖｅからＤｅＡｃｔｉｖｅに切替え、ＤｏｗｎＬｉｎｋについては、Ａｃｔｉｖｅを保持する。このため、キャリアアグリゲーションによるＤｏｗｎＬｉｎｋの通信品質を確保しつつ、ＵｐＬｉｎｋの送信電力を抑えることができる。
【００７３】
（実施の形態２にかかるｅＮＢが行うＣｅｌｌ切替え処理の一例）
図１２は、実施の形態２にかかるｅＮＢが行うＣｅｌｌ切替え処理の一例を示すフローチャートである。図１２に示す処理において、ステップＳ１００１〜ステップＳ１００８については図１０に示した処理と同じであるため、ステップＳ１００８よりも後の処理について説明する。
【００７４】
図１２に示すように、ステップＳ１００８の後に、すなわち、ＵＥ送信電力に基づくＣｅｌｌの切替え後に、ｅＮＢ２１０は、ＳＣｅｌｌのＵＥ送信電力が閾値以上であるか否かを判定する（ステップＳ１２０１）。ＳＣｅｌｌのＵＥ送信電力が閾値以上ではない場合（ステップＳ１２０１：Ｎｏ）、ｅＮＢ２１０は、そのまま一連の処理を終了する。ＳＣｅｌｌのＵＥ送信電力が閾値以上である場合（ステップＳ１２０１：Ｙｅｓ）、ｅＮＢ２１０は、ＵＥ送信電力が閾値以上のＳＣｅｌｌのＡｃｔｉｖａｔｉｏｎを、ＵｐＬｉｎｋについてのみＡｃｔｉｖｅからＤｅＡｃｔｉｖｅに切替え（ステップＳ１２０２）、一連の処理を終了する。
【００７５】
実施の形態２によれば、送信電力が閾値以上のＳＣｅｌｌの通信を行わないようにするため、送信電力が閾値以上のＳＣｅｌｌにおけるＵＥ送信電力をなくすことができる。したがって、ＳＣｅｌｌにおける移動端末２３０のＵＥ送信電力を抑えることができる。これにより、移動端末２３０の消費電力を削減し、他の移動端末２３０への干渉をより抑えることができる。また、ＳＣｅｌｌのＤｏｗｎＬｉｎｋについては継続して通信を行うため、ＤｏｗｎＬｉｎｋの通信品質を保持することができる。
【００７６】
（実施の形態３）
次に、実施の形態３について説明する。実施の形態３では、ＵＥ送信電力に基づいてＣｅｌｌを切替えるという実施の形態１の内容に加え、さらに、割り当てる無線リソースをＣｅｌｌの切替え後に減らす場合について説明する。実施の形態３においては、実施の形態１，２と異なる部分について説明を行う。
【００７７】
（実施の形態３にかかるｅＮＢの機能的構成）
図７を用いて、実施の形態３にかかるｅＮＢの機能的構成について説明する。スケジューリング部７０３は、受信部７０２および送信部７０４から入力されたチャネル品質等の情報を用いて、ＳＣｅｌｌ（元ＰＣｅｌｌ：ＲＥ１）に対するスケジューリングの頻度を減らす。ＳＣｅｌｌに対するスケジューリング頻度を減らすとは、例えば、ＰＣｅｌｌ（元ＳＣｅｌｌ：ＲＥ２）だけに無線リソースを割り当てたり、ＳＣｅｌｌに割り当てる無線リソースを減らしたりすればよい。また、例えば、割り当てるＲＢ（Ｒｅｓｏｕｒｃｅ  Ｂｌｏｃｋ）の上限を設けて、割り当てるＲＢを減らしてもよい。
【００７８】
スケジューリングの頻度を減らすことにより、移動端末２３０からＳＣｅｌｌへの送信機会を減らすことができる。スケジューリング部７０３は、このような無線リソースの割り当てを行った後、受信部７０２および送信部７０４に対して、スケジューリング情報を通知する。
【００７９】
（実施の形態３にかかるｅＮＢが行うＣｅｌｌ切替え処理の一例）
図１３は、実施の形態３にかかるｅＮＢが行うＣｅｌｌ切替え処理の一例を示すフローチャートである。図１３に示す処理において、ステップＳ１００１〜ステップＳ１００８については図１０に示した処理と同じであるため、ステップＳ１００８よりも後の処理について説明する。
【００８０】
図１３に示すように、ｅＮＢ２１０は、ステップＳ１００８の後に、すなわち、ＵＥ送信電力に基づくＣｅｌｌの切替え後に、ＳＣｅｌｌ（例えばＲＥ１）に対するスケジューリングの頻度を減らし（ステップＳ１３０１）、一連の処理を終了する。スケジューリングの頻度を減らす際には、受信部７０２および送信部７０４から入力されたチャネル品質等の情報が用いられる。
【００８１】
実施の形態３によれば、ＳＣｅｌｌにおける端末装置１１０からの送信データの上限を下げることができるため、データ量が多いときでも、送信時におけるデータ量の増大を抑えることができ、例えば、データを一気に送信させないようにできる。このため、ＳＣｅｌｌにおける移動端末２３０のＵＥ送信電力を抑えることができる。これにより、移動端末２３０の消費電力を削減し、他の移動端末２３０への干渉をより抑えることができる。
【００８２】
（実施の形態４）
次に、実施の形態４について説明する。実施の形態１では、ＵＥ送信電力に基づいてＣｅｌｌを切替えた場合について説明したが、実施の形態４ではＤｏｗｎＬｉｎｋの電力ロスに基づいてＣｅｌｌを切替える場合について説明する。具体的には、実施の形態４では、ＤｏｗｎＬｉｎｋの電力ロスの増減の傾向と、ＵＥ送信電力の増減の傾向とが同様の関係であることに着目し、ＤｏｗｎＬｉｎｋの電力ロスに基づいて、Ｃｅｌｌの切替えを行う場合について説明する。実施の形態４においては、実施の形態１〜３と異なる部分について説明を行う。
【００８３】
（実施の形態４にかかるｅＮＢの機能的構成）
図１４は、実施の形態４にかかるｅＮＢの機能的構成の一例を示す説明図である。図１４に示すように、ｅＮＢ２１０は、実施の形態１のＵＥ電力測定部７０８に代わって、電力ロス測定部１４０１を備える。図１４において、スケジューリング部７０３は、スケジュール情報と各ＣｅｌｌにおけるＤｏｗｎＬｉｎｋの送信電力情報と受信電力情報とを電力ロス測定部１４０１へ出力する。
【００８４】
ＤｏｗｎＬｉｎｋの送信電力情報（以下「ＤＬ送信電力情報」という）は、ＲＥ１やＲＥ２におけるＤｏｗｎＬｉｎｋの送信時の電力を示す情報であり、ｅＮＢ２１０が測定して保持する。また、ＤｏｗｎＬｉｎｋの受信電力情報（以下「ＤＬ受信電力情報」という）は、移動端末２３０におけるＤｏｗｎＬｉｎｋの受信時の電力を示す情報であり、移動端末２３０において測定され、また、移動端末２３０からｅＮＢ２１０へ送信される。
【００８５】
電力ロス測定部１４０１は、スケジューリング部７０３からスケジュール情報と各ＣｅｌｌのＤＬ送信電力情報とＤＬ受信電力情報とを取得する。電力ロス測定部１４０１は、ＤＬ送信電力情報とＤＬ受信電力情報との相違から、各ＣｅｌｌにおけるＤｏｗｎＬｉｎｋの電力ロス（以下「ＤＬ電力ロス」という）を計算する。ＤＬ送信電力情報とＤＬ受信電力情報との相違は、例えば、差分である。
【００８６】
また、電力ロス測定部１４０１は、各ＣｅｌｌのＳＩＲが収束しているタイミングであるか否かを判断する。各ＣｅｌｌのＳＩＲが収束しているタイミングである場合に、電力ロス測定部１４０１は、各ＣｅｌｌにおけるＤＬ電力ロスの計算結果をＣｅｌｌ判定部７０９へ出力する。
【００８７】
Ｃｅｌｌ判定部７０９は、電力ロス測定部１４０１から出力された全ＣｅｌｌのＤＬ電力ロスを比較し、最小ＤＬ電力ロスとなるＣｅｌｌを判定する。最小ＤＬ電力ロスとなるＣｅｌｌは、最小ＵＥ送信電力となるＣｅｌｌと見なすことができるため、Ｃｅｌｌ判定部７０９は、最小ＤＬ電力ロスとなるＣｅｌｌを判定することにより、間接的に、最小ＵＥ送信電力を判定する。最小ＤＬ電力ロスの判定の際、Ｃｅｌｌ判定部７０９は、最小ＤＬ電力ロスとなるＣｅｌｌが現在のＰＣｅｌｌであるか否かを判定する。Ｃｅｌｌ判定部７０９は、Ｃｅｌｌ判定の結果をＣｅｌｌ指示部７１０へ出力する。
【００８８】
Ｃｅｌｌ指示部７１０は、Ｃｅｌｌ判定部７０９から出力されたＣｅｌｌ判定結果に基づき、最小ＵＥ送信電力となるＣｅｌｌをＰＣｅｌｌに切替える指示をハンドオーバ制御部７０６に出力する。
【００８９】
（実施の形態４にかかるｅＮＢが行うＣｅｌｌ切替え処理の一例）
図１５は、実施の形態４にかかるｅＮＢが行うＣｅｌｌ切替え処理の一例を示すフローチャートである。図１５に示すように、ｅＮＢ２１０は、移動端末２３０から各ＣｅｌｌにおけるＤＬ受信電力情報を受信する（ステップＳ１５０１）。そして、ｅＮＢ２１０（電力ロス測定部１４０１）は、ＲＥ１やＲＥ２におけるＤＬ送信電力情報と移動端末２３０におけるＤＬ受信電力情報との差から、各ＣｅｌｌのＤＬ電力ロスを計算する（ステップＳ１５０２）。そして、ｅＮＢ２１０は、各ＣｅｌｌのＳＩＲが収束しているタイミングであるか否かを判定する（ステップＳ１５０３）。
【００９０】
各ＣｅｌｌのＳＩＲが収束しているタイミングではない場合（ステップＳ１５０３：Ｎｏ）、ｅＮＢ２１０は、ステップＳ１５０１に移行する。各ＣｅｌｌのＳＩＲが収束しているタイミングである場合（ステップＳ１５０３：Ｙｅｓ）、ｅＮＢ２１０は、電力ロス測定部１４０１から、計算した各ＣｅｌｌのＤＬ電力ロスをＣｅｌｌ判定部７０９へ出力する（ステップＳ１５０４）。
【００９１】
そして、ｅＮＢ２１０（Ｃｅｌｌ判定部７０９）は、各ＣｅｌｌのＤＬ電力ロスの計算結果に基づき、全ＣｅｌｌのＤＬ電力ロスを比較し、最小ＤＬ電力ロスとなるＣｅｌｌを判定する（ステップＳ１５０５）。そして、ｅＮＢ２１０（Ｃｅｌｌ判定部７０９）は、最小ＤＬ電力ロスとなるＣｅｌｌがＰＣｅｌｌであるか否かを判定する（ステップＳ１５０６）。最小ＤＬ電力ロスとなるＣｅｌｌがＰＣｅｌｌである場合（ステップＳ１５０６：Ｙｅｓ）、ｅＮＢ２１０は、一連の処理を終了する。
【００９２】
最小ＤＬ電力ロスとなるＣｅｌｌがＰＣｅｌｌではない場合（ステップＳ１５０６：Ｎｏ）、ｅＮＢ２１０は（Ｃｅｌｌ判定部７０９）は、Ｃｅｌｌ判定の結果をＣｅｌｌ指示部７１０へ出力する（ステップＳ１５０７）。ｅＮＢ２１０は、Ｃｅｌｌ指示部７１０がＣｅｌｌ判定結果に基づく切替え指示をハンドオーバ制御部７０６に行って、ハンドオーバ制御部７０６が最小ＤＬ電力ロスとなるＣｅｌｌをＰＣｅｌｌに切替え（ステップＳ１５０８）、一連の処理を終了する。
【００９３】
（ＤＬ電力ロスの一例）
図１６は、ＤＬ電力ロスの一例を示す説明図である。図１６の説明図１６００に示すように、例えば、あるタイミングにおけるＲＥ１およびＲＥ２のＤＬ送信電力、ＤＬ受信電力およびＤＬ電力ロスを示している。ＲＥ１から移動端末２３０へのＤＬ送信電力は１０ｄＢであり、移動端末２３０のＤＬ受信電力は５ｄＢである。そのため、ＲＥ１のＤＬ電力ロスは、５ｄＢである。
【００９４】
一方、ＲＥ２から移動端末２３０へのＤＬ送信電力は５ｄＢであり、移動端末２３０のＤＬ受信電力は４ｄＢである。そのため、ＲＥ２のＤＬ電力ロスは、１ｄＢである。ＤＬ受信電力については、ＲＥ２に比べてＲＥ１の方が高いため、一見すると、ＲＥ１の方が通信状態が良好に見える。ところが、ＤＬ電力ロスについては、ＲＥ２の方が小さく、電力の無駄が少ないことが分かる。従来では、ＲＥ１が常時ＰＣｅｌｌとなっていた。
【００９５】
実施の形態４では、ＤＬ電力ロスの傾向から、ＲＥ１，ＲＥ２との各距離を推定できるため、ＲＥ１，ＲＥ２への移動端末２３０の送信電力を推定できる。つまり、ＤＬ電力ロスが大きいと、移動端末２３０の送信電力も大きいと推定できる。そのため、実施の形態４では、ＲＥ１から、ＤＬ電力ロスの小さいＲＥ２にＰＣｅｌｌを切替えることができる。また、ＤＬ電力ロスの大きいＲＥ１をＳＣｅｌｌに切替えることができる。
【００９６】
実施の形態４によれば、移動端末２３０のＵＥ送信電力を直接測定しなくても、間接的に得ることができる。一般に、ＵｐＬｉｎｋよりもＤｏｗｎＬｉｎｋの方が行われる機会が多く、実施の形態４では、このＤｏｗｎＬｉｎｋ時に移動端末２３０のＵＥ送信電力を得ることができる。このため、ＤｏｗｎＬｉｎｋが行われた後のＵｐＬｉｎｋ時に、消費電力の小さいＣｅｌｌをＰＣｅｌｌとした通信を行うことができる。このため、移動端末２３０の消費電力を削減しつつ他の移動端末２３０への干渉を抑えることができる。
【００９７】
（実施の形態５）
次に、実施の形態５について説明する。実施の形態５では、ＤＬ電力ロスに基づいてＣｅｌｌを切替えるという実施の形態４の内容に加え、さらに、Ｃｅｌｌの切替え後にＳＣｅｌｌのＡｃｔｉｖａｔｉｏｎをＤｅＡｃｔｉｖｅに切替える場合について説明する。実施の形態５においては、実施の形態１〜４と異なる部分について説明を行う。
【００９８】
（実施の形態５にかかるｅＮＢが行うＣｅｌｌ切替え処理の一例）
図１７は、実施の形態５にかかるｅＮＢが行うＣｅｌｌ切替え処理の一例を示すフローチャートである。図１７に示す処理において、ステップＳ１５０１〜ステップＳ１５０８については図１５に示した処理と同じであるため、ステップＳ１５０８よりも後の処理について説明する。
【００９９】
図１７に示すように、ステップＳ１５０８の後に、すなわち、ＤＬ電力ロスに基づくＣｅｌｌの切替え後に、ｅＮＢ２１０は、ＳＣｅｌｌのＤＬ電力ロスが閾値以上であるか否かを判定する（ステップＳ１７０１）。閾値とは、例えば、他の移動端末２３０に対する干渉が大きくなると推定できる電力ロスである。ＳＣｅｌｌのＤＬ電力ロスが閾値以上ではない場合（ステップＳ１７０１：Ｎｏ）、ｅＮＢ２１０は、そのまま一連の処理を終了する。ＳＣｅｌｌのＤＬ電力ロスが閾値以上である場合（ステップＳ１７０１：Ｙｅｓ）、ｅＮＢ２１０は、ＤＬ電力ロスが閾値以上のＳＣｅｌｌのＡｃｔｉｖａｔｉｏｎを、ＵｐＬｉｎｋについてのみＡｃｔｉｖｅからＤｅＡｃｔｉｖｅに切替え（ステップＳ１７０２）、一連の処理を終了する。
【０１００】
実施の形態５によれば、電力ロスが閾値以上のＳＣｅｌｌの通信を行わないようにするため、電力ロスが閾値以上のＳＣｅｌｌにおけるＵＥ送信電力をなくすことができる。したがって、ＳＣｅｌｌにおける移動端末２３０のＵＥ送信電力を抑えることができる。これにより、移動端末２３０の消費電力を削減し、他の移動端末２３０への干渉をより抑えることができる。また、ＳＣｅｌｌのＤｏｗｎＬｉｎｋについては継続して通信を行うため、ＤｏｗｎＬｉｎｋの通信品質を保持することができる。
【０１０１】
（実施の形態６）
次に、実施の形態６について説明する。実施の形態６では、ＤＬ電力ロスに基づいてＣｅｌｌを切替えるという実施の形態４の内容に加え、さらに、割り当てる無線リソースをＣｅｌｌの切替え後に減らす場合について説明する。実施の形態６においては、実施の形態１〜５と異なる部分について説明を行う。
【０１０２】
（実施の形態６にかかるｅＮＢが行うＣｅｌｌ切替え処理の一例）
図１８は、実施の形態６にかかるｅＮＢが行うＣｅｌｌ切替え処理の一例を示すフローチャートである。図１８に示す処理において、ステップＳ１５０１〜ステップＳ１５０８については図１５に示した処理と同じであるため、ステップＳ１５０８よりも後の処理について説明する。
【０１０３】
図１８に示すように、ｅＮＢ２１０は、ステップＳ１５０８の後に、すなわち、ＤＬ電力ロスに基づくＣｅｌｌの切替え後に、ＳＣｅｌｌ（例えばＲＥ１）に対するスケジューリングの頻度を減らし（ステップＳ１８０１）、一連の処理を終了する。スケジューリングの頻度を減らす際には、受信部７０２および送信部７０４から入力されたチャネル品質等の情報が用いられる。
【０１０４】
実施の形態６によれば、ＳＣｅｌｌにおける端末装置１１０からの送信データの上限を下げることができるため、データ量が多いときでも、送信時におけるデータ量の増大を抑えることができ、例えば、データを一気に送信させないようにできる。このため、ＳＣｅｌｌにおける移動端末２３０のＵＥ送信電力を抑えることができる。これにより、移動端末２３０の消費電力を削減し、他の移動端末２３０への干渉をより抑えることができる。
【０１０５】
上述した実施の形態１〜６に関し、さらに以下の付記を開示する。
【０１０６】
（付記１）自装置のキャリアを含む複数のキャリアを同時に用いる無線通信を行う端末装置の前記複数のキャリアにおける各送信電力を示す情報を取得する取得部と、
前記取得部によって取得された前記情報に基づいて、前記無線通信における第１セルと前記第１セルより通信量が少ない第２セルとを前記複数のキャリアの中から選択し、選択した前記第１セルおよび前記第２セルを前記端末装置に設定させる制御を行う制御部と、
を有することを特徴とする基地局装置。
【０１０７】
（付記２）異なる位置に設けられたアンテナを有し、
前記複数のキャリアは、それぞれ前記複数のアンテナにより形成されるキャリアであることを特徴とする付記１に記載の基地局装置。
【０１０８】
（付記３）前記制御部は、前記複数のキャリアのうちの前記情報が示す送信電力が最も小さいキャリアを前記第１セルに選択することを特徴とする付記１または２に記載の基地局装置。
【０１０９】
（付記４）前記情報は、前記複数のキャリアにおける前記端末装置への無線送信時の各電力ロスを示す情報であり、
前記制御部は、前記複数のキャリアのうちの前記情報が示す電力ロスが最も小さいキャリアを前記第１セルに選択することを特徴とする付記１〜３のいずれか一つに記載の基地局装置。
【０１１０】
（付記５）前記制御部は、選択した前記第２セルにおける前記端末装置の送信電力が所定電力以上の場合に、前記第２セルにおける前記端末装置の通信を休止させることを特徴とする付記１〜４のいずれか一つに記載の基地局装置。
【０１１１】
（付記６）前記制御部は、前記端末装置の前記第１セルに設定されていた所定キャリアを前記端末装置の前記第２セルに設定した場合、前記所定キャリアが前記第１セルに設定されていたときよりも前記所定キャリアによる前記端末装置の通信に割り当てる無線リソース数を減らすことを特徴とする付記１〜５のいずれか一つに記載の基地局装置。
【符号の説明】
【０１１２】
１００  基地局装置
１０１  取得部
１０２  制御部
１１０  端末装置
２００  通信システム
２１０  ｅＮＢ
２３０  移動端末
２４０  上位ネットワーク
７０１  ＲＦ送受信部
７０２  受信部
７０３  スケジューリング部
７０４  送信部
７０５  ネットワーク終端部
７０６  ハンドオーバ制御部
７０７  Ａｃｔｉｖａｔｉｏｎ制御部
７０８  ＵＥ電力測定部
７０９  Ｃｅｌｌ判定部
７１０  Ｃｅｌｌ指示部
８００  コンピュータ装置
８０１  ＣＰＵ
８０２  メモリ
８０３  ユーザインタフェース
８０４  通信インタフェース
１４０１  電力ロス測定部
【図１】
2016005261.tif 000003
【図２】
2016005261.tif 000004
【図３】
2016005261.tif 000005
【図４】
2016005261.tif 000006
【図５】
2016005261.tif 000007
【図６】
2016005261.tif 000008
【図７】
2016005261.tif 000009
【図８】
2016005261.tif 000010
【図９】
2016005261.tif 000011
【図１０】
2016005261.tif 000012
【図１１】
2016005261.tif 000013
【図１２】
2016005261.tif 000014
【図１３】
2016005261.tif 000015
【図１４】
2016005261.tif 000016
【図１５】
2016005261.tif 000017
【図１６】
2016005261.tif 000018
【図１７】
2016005261.tif 000019
【図１８】
2016005261.tif 000020